(57)【特許請求の範囲】
【請求項１】
第一の入力手段と第二の入力手段とを含む２つ以上の異なる入力手段による操作が可能な表示装置において、
少なくともメニュー表示を行う表示部と、
前記入力手段を制御し、前記入力手段による操作に応じて前記表示部での表示または／および操作出力を制御する制御部と、を備え
前記制御部は、前記第一の入力手段による操作に対応し、設定項目の表示を含む第一の入力手段操作用画面と、前記第二の入力手段による操作に対応し、前記第一の入力手段操作用画面より多くの設定項目の表示を含む第二の入力手段操作用画面とを、前記表示部に表示可能とし、さらに前記表示部の限られた領域に前記第一の入力手段および前記第二の入力手段双方の操作に対応する共通操作用画面を表示し、前記共通操作用画面に対し操作された前記入力手段の種類によって、前記第一の入力手段操作用画面または前記第二の入力手段操作用画面を表示することを特徴とする表示装置。
【請求項２】
前記制御部は、前記第一の入力手段操作用画面と前記第二の入力手段操作用画面の一方を選択して前記表示部に表示することを特徴とする請求項１記載の表示装置。
【請求項３】
前記制御部は、前記第二の入力手段操作用画面における前記設定項目を含む項目表示の大きさを、前記第一の入力手段操作用画面における前記設定項目を含む項目表示の大きさよりも小さくすることを特徴とする請求項１または２に記載の表示装置。
【請求項４】
前記制御部は、前記第一の入力手段または前記第二の入力手段が操作可能になると、前記第一の入力手段操作用画面または前記第二の入力手段操作用画面を前記表示部に表示することを特徴とする請求項１〜３のいずれか１項に記載の表示装置。
【請求項５】
前記入力手段の少なくとも一つは、表示装置本体との接続、分離が可能であることを特徴とする請求項１〜４のいずれか１項に記載の表示装置。
【請求項６】
前記制御部は、前記表示装置本体との接続、分離が可能な前記入力手段が前記表示装置本体に接続されると、当該入力手段に対応した前記第一の入力手段操作用画面または前記第二の入力手段操作用画面を前記表示部に表示することを特徴とする請求項５記載の表示装置。
【請求項７】
前記制御部は、前記第一の入力手段によって前記メニュー表示のいずれかの項目に対する操作がされた場合、前記表示部に前記第一の入力手段操作用画面を表示することを特徴とする請求項１〜６のいずれか１項に記載の表示装置。
【請求項８】
前記制御部は、第二の入力手段によって前記メニュー表示のいずれかの項目に対する操作がされた場合、前記表示部に前記第二の入力手段操作用画面を表示することを特徴とする請求項１〜７のいずれか１項に記載の表示装置。
【請求項９】
前記制御部は、前記表示部に前記第二の入力手段操作用画面を表示中に、前記第一の入力手段によって操作がされた場合、第二の入力手段操作専用の旨の警告をすることを特徴とする請求項１〜８のいずれか１項に記載の表示装置。
【請求項１０】
前記制御部は、前記表示部に前記第二の入力手段操作用画面を表示中に、前記第一の入力手段によって操作がされた場合、前記第一の入力手段操作用画面に変更するかの問い合わせの表示を行うことを特徴とする請求項１〜９のいずれか１項に記載の表示装置。
【請求項１１】
前記制御部は、前記第一の入力手段操作用画面に変更するかの問い合わせの表示を前記第一の入力手段操作用画面により表示することを特徴とする請求項１０に記載の表示装置。
【請求項１２】
前記制御部は、前記表示部に前記第二の入力手段操作用画面を表示中に、画面上を対象にした、前記第一の入力手段の操作が検知されると、検知された画面上の領域を含む一部領域を他の領域に比べて拡大して表示し、拡大されて表示された領域内に対し前記第一の入力手段による操作を可能とすることを特徴とする請求項１〜１１のいずれか１項に記載の表示装置。
【請求項１３】
前記制御部は、前記表示部に前記第二の入力手段操作用画面を表示中に、前記第一の入力手段によって操作がされた場合、切替え処理を行うことを特徴とする請求項１〜１２のいずれか１項に記載の表示装置。
【請求項１４】
前記第一の入力手段が、タッチパネルであることを特徴とする請求項１〜１３のいずれか１項に記載の表示装置。
【請求項１５】
前記第二の入力手段がマウスであることを特徴とする請求項１〜１４のいずれか１項に記載の表示装置。
【請求項１６】
前記制御部は、特定のメニュー表示において前記第一の入力手段操作用画面と前記第二の入力手段操作用画面とを表示可能にすることを特徴とする請求項１〜１５のいずれか１項に記載の表示装置。
【請求項１７】
用紙に画像を形成する画像形成部と、
第一の入力手段と第二の入力手段とを含む２つ以上の異なる入力手段と、
少なくともメニュー表示を行う表示部と、
請求項１〜１６のいずれか１項に記載の制御部と、を備えることを特徴とする画像形成装置。
【請求項１８】
前記第一の入力手段が、タッチパネルであることを特徴とする請求項１７に記載の画像形成装置。
【請求項１９】
前記第二の入力手段がマウスであることを特徴とする請求項１７または１８に記載の画像形成装置。
【請求項２０】
前記制御部は、当該画像形成装置がウォーミングアップ完了後のレディ状態になった後、前記第一の入力手段操作用画面または前記第二の入力手段操作用画面を前記表示部に表示可能にすることを特徴とする請求項１７〜１９のいずれか１項に記載の画像形成装置。
【請求項２１】
第一の入力手段と第二の入力手段とを含む２つ以上の異なる入力手段と、少なくともメニュー表示を行う表示部と、を有する表示装置を制御する表示制御プログラムであって、
前記入力手段の状態を取得する取得ステップと、
前記状態に応じて、前記第一の入力手段による操作に対応し、設定項目の表示を含む第一の入力手段操作用画面と、前記第二の入力手段による操作に対応し、前記第一の入力手段操作用画面より多くの設定項目の表示を含む第二の入力手段操作用画面の一方または両方を、表示部に表示する表示ステップと、
前記表示部の限られた領域に前記第一の入力手段および前記第二の入力手段双方の操作に対応する共通操作用画面を表示し、前記共通操作用画面に対し操作された前記入力手段の種類によって、前記第一の入力手段操作用画面または前記第二の入力手段操作用画面を表示するステップと、を有することを特徴とする表示制御プログラム。
【請求項２２】
前記表示ステップでは、前記第一の入力手段操作用画面と前記第二の入力手段操作用画面の一方を選択して前記表示部に表示することを特徴とする請求項２１記載の表示制御プログラム。
【請求項２３】
前記表示ステップでは、前記第二の入力手段操作用画面における前記設定項目を含む項目表示の大きさを、前記第一の入力手段操作用画面における前記設定項目を含む項目表示の大きさよりも小さくすることを特徴とする請求項２１または２２に記載の表示制御プログラム。
【請求項２４】
前記表示ステップでは、前記第一の入力手段または前記第二の入力手段が操作可能になると、前記第一の入力手段操作用画面または前記第二の入力手段操作用画面を前記表示部に表示することを特徴とする請求項２１〜２３のいずれか１項に記載の表示制御プログラム。
【請求項２５】
前記表示ステップでは、表示装置本体との接続、分離が可能な前記入力手段が前記表示装置本体に接続されると、当該入力手段に対応した前記第一の入力手段操作用画面または前記第二の入力手段操作用画面を前記表示部に表示することを特徴とする請求項２１〜２４のいずれか１項に記載の表示制御プログラム。
【請求項２６】
前記表示ステップでは、前記第一の入力手段によって前記メニュー表示のいずれかの項目に対する操作がされた場合、前記表示部に前記第一の入力手段操作用画面を表示することを特徴とする請求項２１〜２５のいずれか１項に記載の表示制御プログラム。
【請求項２７】
前記表示ステップでは、第二の入力手段によって前記メニュー表示のいずれかの項目に対する操作がされた場合、前記表示部に前記第二の入力手段操作用画面を表示することを特徴とする請求項２１〜２６のいずれか１項に記載の表示制御プログラム。
【請求項２８】
前記表示ステップでは、前記表示部に前記第二の入力手段操作用画面を表示中に、前記第一の入力手段によって操作がされた場合、第二の入力手段操作専用の旨の警告をすることを特徴とする請求項２１〜２７のいずれか１項に記載の表示制御プログラム。
【請求項２９】
前記表示ステップでは、前記表示部に前記第二の入力手段操作用画面を表示中に、前記第一の入力手段によって操作がされた場合、前記第一の入力手段操作用画面に変更するかの問い合わせの表示を行うことを特徴とする請求項２１〜２８のいずれか１項に記載の表示制御プログラム。
【請求項３０】
前記表示部に前記第二の入力手段操作用画面を表示中に、前記第一の入力手段によって操作がされた場合、前記第一の入力手段操作用画面に変更するかの問い合わせの表示を前記第一の入力手段操作用画面により表示するステップを有することを特徴とする請求項２１〜２９のいずれか１項に記載の表示制御プログラム。
【請求項３１】
前記表示部に前記第二の入力手段操作用画面を表示中に、画面上を対象にした、前記第一の入力手段の操作が検知されると、検知された画面上の領域を含む一部領域を他の領域に比べて拡大して表示し、拡大されて表示された領域内に対し前記第一の入力手段による操作を可能とするステップを有することを特徴とする請求項２１〜３０のいずれか１項に記載の表示制御プログラム。
【請求項３２】
前記表示部に前記第二の入力手段操作用画面を表示中に、前記第一の入力手段によって操作がされた場合、切替え処理を行うことを特徴とする請求項２１〜３１のいずれか１項に記載の表示制御プログラム。
【発明の詳細な説明】
【技術分野】
【０００１】
この発明は、入力手段を複数備える表示装置、該表示装置を備える画像形成装置および入力手段を複数備える表示装置の表示制御プログラムに関するものである。
【背景技術】
【０００２】
ＰＰ（プロダクションプリント）機などの画像形成装置では、設定などを行う画面を表示して操作者の操作入力を可能にした表示装置を備えている。画像形成装置に備えられている表示装置では、画像形成装置本来の機構のスペースなどの制約によって、パーソナルコンピュータのように顧客が自由なサイズのディスプレイを選択することができず、比較的面積の小さい表示部が採用されている。最近ではＧＵＩ（グラフィカルユーザーインターフェース）としての表示部とタッチパネルとを組み合わせたものが広く利用されている。
ところで、上記のタッチパネルを備える画像形成装置では、小さい面積の表示部に設定に必要な項目を表示して指操作を行うことを前提にしてプログラムが設計されているため、一画面内に配置できる釦の数は制限されており、設定と一覧確認の両立が難しい現状がある。このため、上記画像形成装置ではメニューを複数の階層に分けて表示することが通常行われている。特にＰＰ機は、設定項目が１画面内に収まり切れない程多数あり、現在の設定値を確認したり、所望の設定メニューまでたどり着けるまで手間と時間を要している。ＰＰ機は生産性重視のため、稼働時間を確保するために迅速に設定確認作業を済ませたい要望が特に強い。
【０００３】
特許文献１、２では、表示装置に複数の入力手段を備えることで操作性を向上させた装置やシステムが提案されている。
具体的には、特許文献１では、入力手段としてタッチパネルとマウスの併用を可能にしており、第一の画面に対する操作が行われた入力手段の種別に応じて次階層の項目などを表示する第二の画面の表示形態を定めて、設定の確定を異なる方法で行えるようにした画像形成装置が開示されている。
特許文献２では、入力手段による表示領域の拡大、縮小変更指示に応じて仮想画面を生成し、表示装置への画像表示を行う制御装置が開示されている。
また、特許文献３では、タッチスクリーン機能を備えたシステムにおいて、ポインティング入力を必要とするとき、タッチスクリーン上にマウス入力専用画面を表示してこの画面のタッチ状態に基づいてポインティング入力データを生成するシステムが開示されている。
【先行技術文献】
【特許文献】
【０００４】
【特許文献１】特開２００７−１１４５９号公報
【特許文献２】特開２００５−１００１９９号公報
【特許文献３】特開平６−１５０１７６号公報
【発明の概要】
【発明が解決しようとする課題】
【０００５】
しかし、上記した特許文献１〜３は、いずれもメニュー表示における複数階層の低減を図るものではなく、迅速に設定確認作業を済ませるという目的を達成できるものではない。
例えば、特許文献１の画像形成装置は、入力手段によって設定の確定方法を異なるものとしているが、メニュー表示の階層を少なくすることはできない。
また、特許文献２では、異なる入力手段の操作に応じて表示領域の拡大、縮小の変更を行うのみであり、メニュー表示の階層を少なくすることはできない。
さらに、特許文献３では、複数の入力手段を備えることを前提とするものではなく、メニュー表示の階層を少なくすることはできない。
【０００６】
本願発明は、上記事情を背景としてなされたものであり、複数の入力手段を備えるものにおいて、１画面内に多くのメニューを表示させて所望の設定メニューを探しやすくすることができる表示装置、画像形成装置および表示制御プログラムを提供することを目的とする。
【課題を解決するための手段】
【０００７】
すなわち、本発明の表示装置のうち、第１の本発明は、第一の入力手段と第二の入力手段とを含む２つ以上の異なる入力手段による操作が可能な表示装置において、
少なくともメニュー表示を行う表示部と、
前記入力手段を制御し、前記入力手段による操作に応じて前記表示部での表示または／および操作出力を制御する制御部と、を備え
前記制御部は、前記第一の入力手段による操作に対応し、設定項目の表示を含む第一の入力手段操作用画面と、前記第二の入力手段による操作に対応し、前記第一の入力手段操作用画面より多くの設定項目の表示を含む第二の入力手段操作用画面とを、前記表示部に表示可能とし、さらに前記表示部の限られた領域に前記第一の入力手段および前記第二の入力手段双方の操作に対応する共通操作用画面を表示し、前記共通操作用画面に対し操作された前記入力手段の種類によって、前記第一の入力手段操作用画面または前記第二の入力手段操作用画面を表示することを特徴とする。
【０００８】
第２の本発明の表示装置は、前記第１の本発明において、前記制御部は、前記第一の入力手段操作用画面と前記第二の入力手段操作用画面の一方を選択して前記表示部に表示することを特徴とする。
【０００９】
第３の本発明の表示装置は、前記第１または第２の本発明において、前記制御部は、前記第二の入力手段操作用画面における前記設定項目を含む項目表示の大きさを、前記第一の入力手段操作用画面における前記設定項目を含む項目表示の大きさよりも小さくすることを特徴とする。
【００１１】
第４の本発明の表示装置は、前記第１〜３の本発明のいずれかにおいて、前記制御部は、前記第一の入力手段または前記第二の入力手段が操作可能になると、前記第一の入力手段操作用画面または前記第二の入力手段操作用画面を前記表示部に表示することを特徴とする。
【００１２】
第５の本発明の表示装置は、前記第１〜第４の本発明のいずれかにおいて、前記入力手段の少なくとも一つは、表示装置本体との接続、分離が可能であることを特徴とする。
【００１３】
第６の本発明の表示装置は、前記第５の本発明において、前記制御部は、前記表示装置本体との接続、分離が可能な前記入力手段が前記表示装置本体に接続されると、当該入力手段に対応した前記第一の入力手段操作用画面または前記第二の入力手段操作用画面を前記表示部に表示することを特徴とする。
【００１４】
第７の本発明の表示装置は、前記第１〜第６の本発明のいずれかにおいて、前記制御部は、前記第一の入力手段によって前記メニュー表示のいずれかの項目に対する操作がされた場合、前記表示部に前記第一の入力手段操作用画面を表示することを特徴とする。
【００１５】
第８の本発明の表示装置は、前記第１〜第７の本発明のいずれかにおいて、前記制御部は、第二の入力手段によって前記メニュー表示のいずれかの項目に対する操作がされた場合、前記表示部に前記第二の入力手段操作用画面を表示することを特徴とする。
【００１６】
第９の本発明の表示装置は、前記第１〜第８の本発明のいずれかにおいて、前記制御部は、前記表示部に前記第二の入力手段操作用画面を表示中に、前記第一の入力手段によって操作がされた場合、第二の入力手段操作専用の旨の警告をすることを特徴とする。
【００１７】
第１０の本発明の表示装置は、前記第１〜第９の本発明のいずれかにおいて、前記制御部は、前記表示部に前記第二の入力手段操作用画面を表示中に、前記第一の入力手段によって操作がされた場合、前記第一の入力手段操作用画面に変更するかの問い合わせの表示を行うことを特徴とする。
【００１８】
第１１の本発明の表示装置は、前記第１０の本発明において、前記制御部は、前記第一の入力手段操作用画面に変更するかの問い合わせの表示を前記第一の入力手段操作用画面により表示することを特徴とする。
【００１９】
第１２の本発明の表示装置は、前記第１〜第１１の本発明のいずれかにおいて、前記制御部は、前記表示部に前記第二の入力手段操作用画面を表示中に、画面上を対象にした、前記第一の入力手段の操作が検知されると、検知された画面上の領域を含む一部領域を他の領域に比べて拡大して表示し、拡大されて表示された領域内に対し前記第一の入力手段による操作を可能とすることを特徴とする。
【００２０】
第１３の本発明の表示装置は、前記第１〜第１２の本発明のいずれかにおいて、前記制御部は、前記表示部に前記第二の入力手段操作用画面を表示中に、前記第一の入力手段によって操作がされた場合、切替え処理を行うことを特徴とする。
【００２１】
第１４の本発明の表示装置は、前記第１〜第１３の本発明のいずれかにおいて、前記第一の入力手段が、タッチパネルであることを特徴とする。
【００２２】
第１５の本発明の表示装置は、前記第１〜第１４の本発明のいずれかにおいて、前記第二の入力手段がマウスであることを特徴とする。
【００２３】
第１６の本発明の表示装置は、前記第１〜第１５の本発明のいずれかにおいて、前記制御部は、特定のメニュー表示において前記第一の入力手段操作用画面と前記第二の入力手段操作用画面とを表示可能にすることを特徴とする。
【００２４】
第１７の本発明の画像形成装置は、用紙に画像を形成する画像形成部と、
第一の入力手段と第二の入力手段とを含む２つ以上の異なる入力手段と、
少なくともメニュー表示を行う表示部と、
第１〜第１６の本発明のいずれかに記載の制御部と、を備えることを特徴とする。
【００２５】
第１８の本発明の画像形成装置は、前記第１７の本発明において、前記第一の入力手段が、タッチパネルであることを特徴とする。
【００２６】
第１９の本発明の画像形成装置は、前記第１７または第１８の本発明において、前記第二の入力手段がマウスであることを特徴とする。
【００２７】
第２０の本発明の画像形成装置は、前記第１７〜第１９の本発明のいずれかにおいて、前記制御部は、当該画像形成装置がウォーミングアップ完了後のレディ状態になった後、前記第一の入力手段操作用画面または前記第二の入力手段操作用画面を前記表示部に表示可能にすることを特徴とする。
【００２８】
第２１の本発明の表示制御プログラムは、第一の入力手段と第二の入力手段とを含む２つ以上の異なる入力手段と、少なくともメニュー表示を行う表示部と、を有する表示装置を制御する表示制御プログラムであって、
前記入力手段の状態を取得する取得ステップと、
前記状態に応じて、前記第一の入力手段による操作に対応し、設定項目の表示を含む第一の入力手段操作用画面と、前記第二の入力手段による操作に対応し、前記第一の入力手段操作用画面より多くの設定項目の表示を含む第二の入力手段操作用画面の一方または両方を、表示部に表示ステップと、
前記表示部の限られた領域に前記第一の入力手段および前記第二の入力手段双方の操作に対応する共通操作用画面を表示し、前記共通操作用画面に対し操作された前記入力手段の種類によって、前記第一の入力手段操作用画面または前記第二の入力手段操作用画面を表示するステップと、を有することを特徴とする。
【００２９】
第２２の本発明の表示制御プログラムは、前記第２１の本発明において、前記表示ステップでは、前記第一の入力手段操作用画面と前記第二の入力手段操作用画面の一方を選択して前記表示部に表示することを特徴とする。
【００３０】
第２３の本発明の表示制御プログラムは、前記第２１または２２の本発明において、前記表示ステップでは、前記第二の入力手段操作用画面における前記設定項目を含む項目表示の大きさを、前記第一の入力手段操作用画面における前記設定項目を含む項目表示の大きさよりも小さくすることを特徴とする。
【００３２】
第２４の本発明の表示制御プログラムは、前記第２１〜２３の本発明のいずれかにおいて、前記表示ステップでは、前記第一の入力手段または前記第二の入力手段が操作可能になると、前記第一の入力手段操作用画面または前記第二の入力手段操作用画面を前記表示部に表示することを特徴とする。
【００３３】
第２５の本発明の表示制御プログラムは、前記第２１〜第２４の本発明のいずれかにおいて、前記表示ステップでは、表示装置本体との接続、分離が可能な前記入力手段が前記表示装置本体に接続されると、当該入力手段に対応した前記第一の入力手段操作用画面または前記第二の入力手段操作用画面を前記表示部に表示することを特徴とする。
【００３４】
第２６の本発明の表示制御プログラムは、前記第２１〜第２５の本発明のいずれかにおいて、前記表示ステップでは、前記第一の入力手段によって前記メニュー表示のいずれかの項目に対する操作がされた場合、前記表示部に前記第一の入力手段操作用画面を表示することを特徴とする。
【００３５】
第２７の本発明の表示制御プログラムは、前記第２１〜第２６の本発明のいずれかにおいて、前記表示ステップでは、第二の入力手段によって前記メニュー表示のいずれかの項目に対する操作がされた場合、前記表示部に前記第二の入力手段操作用画面を表示することを特徴とする。
【００３６】
第２８の本発明の表示制御プログラムは、前記第２１〜第２７の本発明のいずれかにおいて、前記表示ステップでは、前記表示部に前記第二の入力手段操作用画面を表示中に、前記第一の入力手段によって操作がされた場合、第二の入力手段操作専用の旨の警告をすることを特徴とする。
【００３７】
第２９の本発明の表示制御プログラムは、前記第２１〜第２８の本発明のいずれかにおいて、前記表示ステップでは、前記表示部に前記第二の入力手段操作用画面を表示中に、前記第一の入力手段によって操作がされた場合、前記第一の入力手段操作用画面に変更するかの問い合わせの表示を行うことを特徴とする。
【００３８】
第３０の本発明の表示制御プログラムは、前記第２１〜第２９の本発明のいずれかにおいて、前記表示部に前記第二の入力手段操作用画面を表示中に、前記第一の入力手段によって操作がされた場合、前記第一の入力手段操作用画面に変更するかの問い合わせの表示を前記第一の入力手段操作用画面により表示するステップを有することを特徴とする。
【００３９】
第３１の本発明の表示制御プログラムは、前記第２１〜第３０の本発明のいずれかにおいて、前記表示部に前記第二の入力手段操作用画面を表示中に、画面上を対象にした、前記第一の入力手段の操作が検知されると、検知された画面上の領域を含む一部領域を他の領域に比べて拡大して表示し、拡大されて表示された領域内に対し前記第一の入力手段による操作を可能とするステップを有することを特徴とする。
【００４０】
第３２の本発明の表示制御プログラムは、前記第２１〜第３１の本発明のいずれかにおいて、前記表示部に前記第二の入力手段操作用画面を表示中に、前記第一の入力手段によって操作がされた場合、切替え処理を行うことを特徴とする。
【発明の効果】
【００４１】
本発明によれば、入力手段に対応した画面の表示を可能とすることで、所望の設定メニューがどこにあるのか少ない操作で分るようにすることができ、生産性が向上する効果がある。
【図面の簡単な説明】
【００４２】
【図１】本発明の表示装置を備える画像形成装置の一実施形態を示す概略図である。
【図２】同じく、制御ブロックを示す図である。
【図３】同じく、画像形成装置の概略図および表示装置におけるタッチ操作用画面とマウス操作用画面の概略を示す図である。
【図４】同じくタッチ操作用画面の階層を説明する図である。
【図５】同じくマウス用操作画面を示す図である。
【図６】同じくツリー構造のマウス用操作画面を示す図である。
【図７】同じく共通表示画面とマウス操作用画面を示す図である。
【図８】同じく画面遷移処理の手順を示すフローチャートと操作画面の概略を示す図である。
【図９】同じくマウス操作判定の手順を示すフローチャートである
【図１０】同じくタッチ操作用画面とマウス操作用画面の切り替え処理の設定画面を示す図である。
【図１１】同じくマウス操作用画面での釦操作の処理手順を示すフローチャートである。
【図１２】同じくマウス操作用画面でタッチ操作がされた際の警告表示がされたマウス操作用画面を示す図である。
【図１３】同じくマウス操作用画面でタッチ操作がされた際の毎時確認の画面が表示されたマウス操作用画面を示す図である。
【図１４】同じくマウス操作用画面でタッチ操作がされた際に、タッチ位置の周囲が拡大された画面が表示されたマウス操作用画面を示す図である。
【発明を実施するための形態】
【００４３】
以下に、本発明の表示装置を備える画像形成装置の一実施形態を添付図面に基づいて説明する。
図１に示す画像形成装置１は、画像形成装置本体１０上にタッチパネルが設けられた表示部１４０を有しており、さらにＵＳＢコネクタによって着脱可能なマウス２００が備えられている。タッチパネルおよびマウス２００は、本発明の入力手段に相当し、タッチパネル、マウス２００、表示部１４０は、本発明の表示装置を構成している。なお、マウス２００の接続はＵＳＢコネクタに限定されるものではなく、シリアルコネクタなどの適宜の接続方法を採用することができる。なお、この実施形態ではＵＳＢコネクタが取り付けられている画像形成装置本体１０が本発明の表示装置本体に相当する。
画像形成装置１は、画像形成装置本体１０内に給紙トレイ１１、搬送装置１２、画像形成部１５を備えており、これら構成を主としてプリンター部１５０が構成されている。プリンター部１５０において、給紙トレイ１１から搬送装置１２を通して給紙される用紙に画像形成部１５で画像が形成される。
【００４４】
図２は、画像形成装置１の制御ブロックを示す図である。
画像形成装置１は、主要な構成として、全体制御部１００とスキャナー部１３０と表示部１４０とプリンター部１５０とを有している。また、この実施形態では、後処理装置であるＦＮＳ１６０が画像形成装置の一部として画像形成装置本体に接続されている。なお、本発明としては後処理装置の有無は特に限定されるものではない。
【００４５】
全体制御部１００では、制御ＣＰＵ１１０を備えており、制御ＣＰＵ１１０にＤＲＡＭ制御ＩＣ１１１が接続されている。制御ＣＰＵ１１０には、ＲＡＭ１１２、ＶＲＡＭ１１３が接続されている。
制御ＣＰＵ１１０は、前記装置制御ＦＷ（ファームウェア）などのプログラムの実行により画像形成装置１の全体を制御し、画像形成装置１全体の状態把握を行うものである。
【００４６】
前記スキャナー部１３０は、光学読み取りを行うＣＣＤ１３１と、スキャナー部１３０全体の制御を行うスキャナー制御部１３２とを備えている。スキャナー制御部１３２は、制御ＣＰＵ１１０に接続されており、制御ＣＰＵ１１０による制御を受ける。なお、スキャナー制御部１３２は、ＣＰＵやこれを動作させるプログラムなどによって構成することができる。前記ＣＣＤ１３１で読み取った画像情報は、読み取り処理部１１６でデータ処理がなされる。読み取り処理部１１６には、ＤＲＡＭ制御ＩＣ１１１に接続されており、読み取り処理部１１６でデータ処理された画像データはＤＲＡＭ制御ＩＣ１１１に送信される。
【００４７】
ＲＡＭ１１２は、装置制御ＦＷや表示制御プログラム、プリンタドライバ等のプログラムがロードされて、その実行に利用されるとともに、その実行に伴う作業エリアとして利用される。
表示部１４０は、タッチパネルを備えるＬＣＤ１４１と、表示部制御部１４２とを備えており、上記ＬＣＤ１４１と表示部制御部１４２とが接続され、該表示部制御部１４２と前記制御ＣＰＵ１１０と、がシリアル通信可能に接続されている。該構成によって表示部１４０の制御が、表示制御プログラムが動作している制御ＣＰＵ１１０によって行われ、ＶＲＡＭ１１３に描かれた画面画像がＬＣＤ１４１に表示されるとともに、表示部１４０の入力情報が制御ＣＰＵ１１０に送られる。なお、表示部制御部１４２は、ＣＰＵやこれを動作させるプログラムなどによって構成することができる。表示部１４０には、表示切替部１４３を備えており、表示切替部１４３によって、表示部１４０で表示される画面の所定領域に対応するＶＲＡＭ１１３の記憶領域に、装置制御ＦＷが生成した画面を選択的に描画することにより、これらの画面を切り替えて表示部１４０に表示することを可能にしている。
【００４８】
また、ＤＲＡＭ制御ＩＣ１１１は、画像メモリー１１４に接続されている。該画像メモリー１１４には、前記スキャナー部１３０で取得した画像情報や図示しないＬＡＮなどを通して取得した画像情報や印刷条件、ファイル情報などが格納される。上記のように画像メモリー１１４は、画像情報や印刷条件、ファイル情報の記憶領域であり、印刷するジョブの情報を格納する。
また、ＤＲＡＭ制御ＩＣ１１１には、ＨＤＤ１１５が接続されている。ＨＤＤ１１５には、プログラムやファイルデータ、プリンタドライバ、画像情報、印刷情報などを格納する領域が割り当てられており、ＤＲＡＭ制御ＩＣ１１１を介してデータの読み書きがなされる。
【００４９】
さらにＤＲＡＭ制御ＩＣ１１１には、書き込み処理部１１７が接続されている。該書き込み処理部１１７は、プリンター部１５０のＬＤ１５１に接続され、ＤＲＡＭ制御ＩＣ１１１を介して送られる画像データを基にしてＬＤ１５１の動作に用いられるデータの処理を行う。また、プリンター部１５０は、プリンター部１５０の全体を制御するプリンター制御部１５２を備えており、該プリンター制御部１５２は、前記した制御ＣＰＵ１１０に接続されて制御を受ける。また、プリンター制御部１５２には、ＦＮＳ１６０全体を制御するＦＮＳ制御部１６１が接続されている。これにより、ＦＮＳ１６０の制御を、プリンター制御部１５２を通して制御ＣＰＵ１１０により制御することができる。
【００５０】
また、制御ＣＰＵ１１０には、外部との間で通信を行う通信部１２０の全体を制御する通信制御部１２１が接続されており、通信部１２０に含まれるＮＩＣ１２２（ネットワークインターフェースカード）を通して図示しないＬＡＮに接続可能とされている。通信制御部１２１は、制御ＣＰＵ１１０の動作指令によって動作し、予め定められた通信手順によって制御ＣＰＵ１１０から受け渡されるデータを、ＮＩＣ１２２を通してＬＡＮにデータを送出し、またＬＡＮから送られるデータをＮＩＣ１２２を通して受信し、制御ＣＰＵ１１０に送出する。また、通信部１２０には、ＵＳＢインターフェース１２５が備えられており、外部のＵＳＢ装置、例えばマウス２００を接続して制御ＣＰＵ１１０と外部のＵＳＢ装置との間で通信を行うことができる。
制御ＣＰＵ１１０では、少なくとも、表示部制御部１４２、表示切替部１４３、通信制御部１２１などともに本発明の制御部を構成する。
【００５１】
次に、上記画像形成装置１の基本的動作について説明する。
先ず、画像形成装置１において画像情報を蓄積する手順について説明する。
第１に画像形成装置１において、スキャナー部１３０で原稿の画像を読み取り画像情報を生成する場合、スキャナー部１３０において原稿からＣＣＤ１３１により原稿の画像を光学的に読み取る。この際には、制御ＣＰＵ１１０から指令を受けるスキャナー制御部１３２によってＣＣＤ１３１の動作制御を行う。
ＣＣＤ１３１で読み取られた画像は、読み取り処理部１１６でデータ処理がなされ、データ処理された画像情報は、ＤＲＡＭ制御ＩＣ１１１を介して画像メモリー１１４やＨＤＤ１１５に格納される。画像メモリー１１４やＨＤＤ１１５に格納された画像情報や印刷情報は、制御ＣＰＵ１１０によってジョブとして管理することができる。
【００５２】
画像情報を外部から取得する場合、例えば、図示しない画像形成装置やＰＣなどからＬＡＮなどを通して送信されるジョブ情報は、ＮＩＣ１２２、制御ＣＰＵ１１０を介してＤＲＡＭ制御ＩＣ１１１により画像メモリー１１４やＨＤＤ１１５に格納される。
また、画像形成装置１でアプリケーションによって画像情報を生成する場合、プリンタドライバ、装置制御ＦＷを介して得られる画像情報が上記と同様に画像メモリー１１４やＨＤＤ１１５に格納される。この際に、プリンタドライバから送られるプリントデータを画像形成装置１のジョブとして受け付け、該ジョブの保存、実行等をすることができる。
外部からの取得や画像形成装置１で動作するアプリケーションによって取得される画像情報がベクターデータである場合、適宜の時期にコントローラーによりＲＩＰ処理（Raster Image Processing）が行われる。
【００５３】
画像形成装置１で画像出力を行う場合、すなわち複写機やプリンターとして使用する場合、画像メモリー１１４やＨＤＤ１１５に格納された画像情報を含むジョブ情報を、ＤＲＡＭ制御ＩＣ１１１を介して書き込み処理部１１７に送出し、書き込み処理部１１７からプリンター部１５０へ書き込みデータが送出される。
【００５４】
プリンター部１５０では、図示しない帯電部によって感光体の表面に一様に帯電を行った後に、ＬＤ１５１のレーザビームによって、書き込みデータに基づく露光走査を行って潜像を形成し、該潜像を現像部により反転現像して画像形成部１５の一部をなす感光体の表面にトナー像を形成する。そして給紙トレイ１１から給紙された用紙は、搬送装置１２によって転写位置へと送られ、該転写位置において画像形成部１５の一部をなす転写部によりトナー像が転写される。その後、画像形成がされた用紙は、画像形成部１５の一部をなす定着器により加熱定着され、ＦＮＳ１６０へと搬送される。画像形成がなされた用紙が搬送されるＦＮＳ１６０は、用紙にパンチを行うパンチユニットや、用紙にステイプルを行うステイプラーなどを備えており、所望により用紙への後処理を行う。
上記した帯電部やＬＤ１５１、現像部、転写部、定着器などによって画像形成部１５が構成されている。
【００５５】
画像出力に際しては、制御ＣＰＵ１１０ではジョブ情報に基づいて出力を行う。ジョブ情報は、前記画像情報の他に、出力条件情報を含んでいる。出力条件は、プリントモード、用紙情報、給紙トレイ、排紙先、後処理条件などの情報からなり、具体的には、出力画像の画素数、カラー・モノクロの別、片面・両面の別、色調調整、用紙サイズ、用紙の向き、用紙の種類（紙種、斤量、用紙の色など）、給紙トレイの選択、後処理の有無、後処理条件などが挙げられる。
【００５６】
出力条件は、予め初期設定として標準的な設定が定められている。また、出力条件は、表示部１４０において設定することができる。画像情報を取得するような場合には、制御ＣＰＵ１１０によって表示部制御部１４２が制御され、ＬＣＤ１４１に出力設定入力が可能な画面が表示される。
操作者によって適宜の操作入力がなされると、表示部制御部１４２から制御ＣＰＵ１１０に対し、表示部１４０上で設定された出力条件（プリントモード、給紙トレイ、排紙先、後処理条件など）等の情報が通知される。該情報を受けた制御ＣＰＵ１１０では、出力条件情報を作成し、一旦は制御ＣＰＵ１１０に備えるメモリーに格納する。画像情報を取得すると、画像情報とともにジョブ情報として画像メモリー１１４やＨＤＤ１１５に格納される。
【００５７】
また制御ＣＰＵ１１０では、入力手段の種別によって表示部１４０で表示するメニュー画面を変更することができる。
図３は、画像形成装置１の概略と、画像形成装置１の表示部に表示された画面とを示すものである。ここでは、タッチパネルは第１の入力手段に相当し、マウス２００は、第２の入力手段に相当するものとする。タッチパネルに対応する第一の入力手段操作用画面１４１０は、メニュー表示における項目表示が比較的大きく、操作者が指で操作しやすい大きさになっている。マウス２００に対応する第二の入力手段操作用画面１４２０は、メニュー表示における項目表示が比較的小さく、第一の入力手段操作用画面１４１０に比べて多数の項目表示がなされている。マウス２００では、画面上でマウスポインタなどを表示して項目の選択を行うことができ、小さい項目表示でも容易に操作を行うことができる。
【００５８】
例えば、ユーティリティ設定のユーザ設定共通設定メニューは１６メニューの機能ボタンがある。タッチ操作の画面（第一の入力手段操作用画面１４１０）では、誤操作防止のために比較的大きなボタン配置となり、図４に示すように例えば４頁の階層Ａ〜Ｄを設けることでページ管理する表示を行う。共通設定は、図に示すように４頁（４画面）構成となっているため、各頁の画面左下に設けた前頁釦１４１１または次頁釦１４１２で頁の移動をする。階層Ａでは、前頁釦１４１１は網掛けになって操作不可になっており、階層Ｄでは、次頁釦１４１２は網掛けになって操作不可になっている。以上のように、タッチ用の操作画面では、画面が同階層下であったとしても、ページをめくらないと所望のメニューにたどり着かない課題がある。
【００５９】
一方、マウス操作の画面（第二の入力手段操作用画面１４２０）では、タッチ操作のように大きな釦や釦間の間隔を大きくしてレイアウトする必要がなくなるため、マウス専用のレイアウトをとることが可能になり、図５に示すように多くの項目の釦を配置することができる。すなわち、マウス操作用の画面では、釦の大きさや配置を狭めて、１画面内に多くメニューを表示することができる。マウスは１ｄｏｔ単位で操作できるため、指操作の検知領域の課題を解決することができる。
マウス操作の画面では、専用のフォントなどを用意しても良いし、タッチ操作用のフォントに対する所定の比率(１．０未満；例えば半分)でリサイズしてマウス用のフォントなどを作成して画面に表示してもよい。したがって画面レイアウトしては、例えばタッチ操作の既存画面ボタンの半分の大きさでボタン配置することができる。この例では、メニューの機能ボタンを一つの画面に全て表示することができ、メニュー階層を低減できる。また、タッチ操作と比べ工場出荷設定と異なる値が少ない操作で分る。なお、マウス操作の画面が階層を有するものであってもよい。
【００６０】
なお、マウス操作の画面（第二の入力手段操作用画面）でも、ツリー構造を有するものとしてもよく、Ｗｉｎｄｏｗｓ（商標）の表示設定のように、設定でツリー構造表示の有無を切り替えても何ら問題ない。
図６は、ツリー構造のマウス操作の画面（第二の入力手段操作用画面１４３０）を示すものであり、メニュー表示領域１４３１とツリー表示領域１４３２とを有している。メニュー表示領域１４３１、ツリー表示領域１４３２ともにマウスによる操作を行うことができる。
【００６１】
また、第一の入力手段操作用画面、第二の入力手段操作用画面が表示された表示部で、いずれの画面が表示されている際にも共通した共通表示画面を表示しても良い。
図７は、マウス操作用の画面（第二の入力手段操作用画面１４２０）が表示された表示部１４２０で、機械状態を示す共通表示画面１４４０を表示した状態を示すものである。機械状態のような情報は、入力手段の種別に拘わらず共通して表示するのが望ましい。
【００６２】
次に、上記したタッチ用の画面とマウス用の画面の遷移について図８のフローチャートを参照しつつ説明する。なお、以下の手順は制御ＣＰＵ１１０によって実行される。
表示部１４０での画面表示は、特定のメニューの表示が選択されると、タッチ用の画面とマウス用の画面を選択して表示可能になっている。特定のメニュー表示の選択前は、例えばタッチ用の画面のみが表示されるように設定することができる。これはマウス操作が必要とされない段階では、タッチ操作の画面のみとしても支障がないためである。
特定のメニュー表示の選択として、メニュー表示画面１４００において予め選定しておいた画面遷移釦が押下されると、画面遷移の処理が開示される（ステップｓ１）。画面遷移釦の種別範囲は、機械設定によって初期設定しておくことができ、また、操作者が特定の釦を画面遷移釦として設定できるようにしても良い。この例では、メニュー表示画面１４００に表示された共通設定釦１４０１が画面遷移釦に設定されている。
【００６３】
画面遷移釦押下を検知すると、処理が開始され、マウス操作を前提としているかの判定を行う。マウス操作を前提とするかの判定手順を図９のフローチャートに示す。なお、以下の手順は制御ＣＰＵ１１０によって実行される。
判定手順では、表示装置が所定の状態、例えばマウスを操作可能な状態であるかの判定を行う（ステップｓ１０）。該判定は、装置の機械状態を取得し、その機械状態に基づいて行うことができる。所定の状態の把握は、例えば、制御ＣＰＵ１１０による装置構成の認識により行うことができ、ＵＳＢコネクタにＵＳＢマウスが接続されると、マウスが操作可能な状態にあると判定することができる。
所定状態の判定において、マウス操作が可能な状態であれば、マウス操作を前提として（ステップｓ１１）、処理を終了し、マウス操作が可能な状態でなければ、タッチ操作を前提として（ステップｓ１２）、処理を終了する。
ステップｓ２で、マウス操作前提と判定されると（ステップｓ２、Ｙｅｓ）、マウス用画面として第二の入力手段操作用画面１４２０を作成し（ステップｓ３）、表示部１４０に描画し（ステップｓ５）、マウス操作前提でないと判定されると（ステップｓ２、Ｎｏ）、タッチ用画面として第一の入力手段操作用画面１４１０を作成し（ステップｓ４）、表示部１４０に描画する（ステップｓ５）。表示部１４０に第一の入力手段操作用画面１４１０、第二の入力手段操作用画面１４２０を表示する際には、表示部に共通表示画面１４４０を表示してもよい。画面の作成および表示はＶＲＡＭ１１３を介して行うことができる。
【００６４】
上記画面の遷移後、タッチ用画面である第一の入力手段操作用画面１４１０で、マウス操作がされた場合、マウス操作を有効にして釦処理を行うようにしてもよい。マウス操作を有効にしても支障はない。この場合、第一の入力手段操作用画面１４１０は、共通操作用画面に相当する。
また、マウス用画面である第二の入力手段操作用画面１４２０で、タッチ操作がされた場合、第二の入力手段操作用画面１４２０ではより多くのメニュー項目を表示しており、タッチ操作に適した画面ではないため、そのまま釦処理を行うのではなく、切り替え処理を行うのが望ましい。
【００６５】
図１０は、上記切り替え処理に際し実行する処理内容を設定するための切替設定画面１４５０を示すものである。切り替え処理の内容は予め機械設定として初期設定されているものであってもよく、上記設定画面に示すように操作者が設定内容を決定、変更できるようにしてもよい。切替設定画面１４５０には、警告のみ釦１４５１、毎時確認釦１４５２、拡大表示釦１４５３が押下可能に表示されており、さらに、ＯＫ釦１４５４、キャンセル釦１４５５が押下可能に表示されている。
警告のみ釦１４５１、毎時確認釦１４５２、拡大表示釦１４５３のいずれかを押下してＯＫ釦１４５４を押下することで、切替え処理の設定内容が確定し、キャンセル釦１４５５を押下することで、一旦押下した警告のみ釦１４５１、毎時確認釦１４５２、拡大表示釦１４５３の選択が解除され、設定のし直しが可能になる。
【００６６】
次に、マウス用画面（第二の入力手段操作用画面１４２０）で、タッチ操作またはマウス操作が操作がされた際の手順を図１１のフローチャートに基づいて説明する。なお、以下の手順は制御ＣＰＵ１１０によって実行される。
画面で釦操作がされると（ステップｓ２０）、処理を開始し、操作がマウス操作かの判定がされる（ステップｓ２１）。マウス操作の場合（ステップｓ２１、Ｙｅｓ）、操作された釦に応じた釦処理がされ（ステップｓ２２）、処理を終了する。なお、釦処理は、釦反転等、画面遷移以外の処理である。また、マウス操作かの判定（ステップｓ２１）で、マウス操作でないと判定された場合（ステップｓ２１、Ｎｏ）、予め定めた切替え処理が実行され（ステップｓ２３）、処理を終了する。この実施形態では、切替え処理の設定内容に従って、切替え処理として、警告のみ、毎時確認、拡大表示のいずれかが実行される。
【００６７】
上記切り替え処理のうち、警告のみの処理を図１２に基づいて説明する。
マウス用画面（第二の入力手段操作用画面１４２０）でタッチ操作がされると、タッチ操作による釦処理は行わず、画面上で警告表示を行うことで操作者に操作ミスであることを伝える。この例では、第二の入力手段操作用画面１４２０と共通表示画面１４４０とが表示部１４０に表示されており、このうち共通表示画面１４４０の領域内に、「マウス操作のみ有効です」という警告表示１４４１を行っている。なお、警告は、文字の他、点滅や絵などの表示、さらに音、音声などの発生などによって行うものであってもよく、警告の形態は特に限定されない。このようなタッチ操作とマウス操作の切り替え警告を行うことで誤操作防止になる。
【００６８】
次に、切り替え処理のうち、毎時確認の処理を図１３に基づいて説明する。
マウス用画面（第二の入力手段操作用画面１４２０）でタッチ操作がされると、確認用ポップアップ画面１４６０を第二の入力手段操作用画面１４２０の一部に重ねて表示する。この際には、タッチ操作に戻したいという操作者の意図を汲み、タッチ操作用の釦を確認用ポップアップ画面１４６０内に配置する。すなわち、確認用ポップアップ画面１４６０では、マウス専用の画面であることを表示し、タッチパネル専用画面に戻すかの問い合わせ表示１４６１を行う。さらに確認用ポップアップ画面１４６０では、「はい」釦１４６２と「いいえ」釦１４６３とを押下可能に配置する。「はい」釦１４６２が選択されると、表示部の表示を第二の入力手段操作用画面１４２０から第一の入力手段操作用画面１４１０に切り替えてタッチ操作可能にする。また、「いいえ」釦１４６３が押下されると、確認用ポップアップ画面１４６０を消去し、第二の入力手段操作用画面１４２０が表示された状態にし、マウス操作を可能にする。
【００６９】
次に、切り替え処理のうち、拡大表示の処理を図１４に基づいて説明する。
この処理では、第二の入力手段操作用画面１４２０でタッチ操作された位置の周辺（例では周囲３釦）を拡大してタッチ操作画面として拡大ポップアップ画面１４７０を第二の入力手段操作用画面１４２０の一部に重ねて表示する。なお、拡大して表示する周辺の領域は予め設定しておくことができる。例えばタッチ位置から所定の距離内の周辺や、タッチ位置周囲の所定の数の項目を表示するなどにより行うことができる。また、タッチ位置によっては周辺の範囲を異なるようにしてもよい。さらには、別途設定項目を設けて、対象ボタン数など上記周囲の範囲を設定するユーザーインターフェースを設けても何ら問題はない。
拡大ポップアップ画面１４７０では、操作者がタッチ操作によって所望の項目釦を押下して釦操作を実行すことができる。また、拡大ポップアップ画面１４７０では、マウス操作を可能にしてもよい。拡大ポップアップ画面１４７０を表示することでタッチ操作による誤操作を防止することができる。
【００７０】
なお、上記では第１の入力手段としてタッチパネルを示し、第２の入力手段としてマウスを示したが、本発明としてはこれらに限定されるものではなく、第２の入力手段としてその他のポインティグデバイスなどを用いるものであってもよい。
【００７１】
以上、本発明について上記実施形態に基づいて説明を行ったが、本発明は上記実施形態の内容に限定されるものではなく、本発明の範囲を逸脱しない限りは適宜の変更が可能である。
【符号の説明】
【００７２】
１  画像形成装置
１５  画像形成部
１１０  制御ＣＰＵ
１４０  表示部
１４１  ＬＣＤ
１５０  プリンター部
２００  マウス
１４００  メニュー表示画面
１４１０  第一の入力手段操作用画面
１４２０  第二の入力手段操作用画面
１４３０  第二の入力手段操作用画面
１４４０  共通表示画面
１４４１  警告表示
１４５０  切替設定画面
１４６０  確認用ポップアップ画面
１４７０  拡大ポップアップ画面
【図１】
0005967376.tif 000002
【図２】
0005967376.tif 000003
【図３】
0005967376.tif 000004
【図４】
0005967376.tif 000005
【図５】
0005967376.tif 000006
【図６】
0005967376.tif 000007
【図７】
0005967376.tif 000008
【図８】
0005967376.tif 000009
【図９】
0005967376.tif 000010
【図１０】
0005967376.tif 000011
【図１１】
0005967376.tif 000012
【図１２】
0005967376.tif 000013
【図１３】
0005967376.tif 000014
【図１４】
0005967376.tif 000015